(57)【要約】【課題】ＡＶＳ実施している制御部における電源システムにおいて、軽負荷時に入力電力を削減することを可能にした電源システムおよび撮像装置を提供すること。【解決手段】負荷電流を検出し、検出した負荷電流値が規定電流以上の場合は、ＰＷＭ制御を行い、設定電圧値通信出力手段が出力する電圧値を、出力電圧値通信受取手段が受け取り、受け取った設定電圧値に応じて、電源出力手段より出力し、検出した負荷電流値が規定電流以下の場合は、設定電圧値通信出力手段が出力する電圧値を、出力電圧値通信受取手段が受け取り、受け取った設定電圧値に変更せず、出力電圧設定手段の設定電圧値を設定し、ＰＦＭ制御に切り替え、電源出力手段より出力する。【選択図】図１
2017121098.tif 000002
【特許請求の範囲】
【請求項１】
ＰＷＭ制御とＰＦＭ制御の切り替えを行うＰＷＭ／ＰＦＭ切り替え手段と、
電源の負荷電流を検出する負荷電流検出手段と、
電源の出力電圧を設定する出力電圧設定手段と、
通信によって外部から設定電圧を受け取ることが可能な設定電圧値通信受取手段と、
前記出力電圧設定手段からの設定電圧値及び前記設定電圧値通信受取手段で受け取った設定電圧値に応じて電圧を出力する電源出力手段と、
前記電源出力手段の出力電圧から供給される電圧により装置全体を制御する制御手段と、
前記制御手段の処理速度性能を評価しつつ必要な電圧を決定する必要設定電圧決定手段と、
必要設定電圧決定手段で決定した電圧を通信によって出力する設定電圧値通信出力手段と、を有しており、
前記負荷電流検出手段が、負荷電流を検出し、検出した負荷電流値が規定電流以上の場合は、前記ＰＷＭ／ＰＦＭ切り替え手段にてＰＷＭ制御を行い、前記設定電圧値通信出力手段が出力する電圧値を、前記出力電圧値通信受取手段が受け取り、受け取った設定電圧値に応じて、前記電源出力手段より出力し、
検出した負荷電流値が規定電流以下の場合は、前記設定電圧値通信出力手段が出力する電圧値を、前記出力電圧値通信受取手段が受け取り、受け取った設定電圧値に変更せず、前記出力電圧設定手段の設定電圧値を設定し、前記ＰＷＭ／ＰＦＭ切り替え手段がＰＦＭ制御に切り替え、前記電源出力手段より出力することを特徴とする電源システム。
【請求項２】
前記負荷電流検出手段が、負荷電流を検出し、検出した負荷電流値が規定電流以上の場合は、前記ＰＷＭ／ＰＦＭ切り替え手段にてＰＷＭ制御を行い、前記設定電圧値通信出力手段が出力する電圧値を、前記出力電圧値通信受取手段が受け取り、受け取った設定電圧値に応じて、前記電源出力手段より出力し、
検出した負荷電流値が規定電流以下の場合は、前記設定電圧値通信出力手段が出力する電圧値を、前記出力電圧値通信受取手段が受け取り、受け取った設定電圧値に変更せず、前記出力電圧設定手段の設定電圧値を設定し、前記ＰＷＭ／ＰＦＭ切り替え手段がＰＦＭ制御に切り替え後、前記設定電圧値通信出力手段が出力する電圧値を、前記出力電圧値通信受取手段が受け取り、受け取った設定電圧値に変更し、前記電源出力手段より出力することを特徴とする請求項１に記載の電源システム。
【請求項３】
第一のモードと第二のモードを有し、
外部から動作モードを受け取ることが可能な動作モード通信受取手段と、
制御手段の動作モードを出力することが可能な動作モード通信出力手段と、を有しており、
動作モード通信受取手段で受け取った動作モードが前記第一のモードの場合、前記負荷電流検出手段で検出した負荷電流値が規定電流以下の場合でも前記ＰＷＭ／ＰＦＭ切り替え手段がＰＷＭ制御にすることを特徴とする請求項１に記載の電源システム。
【請求項４】
第一と第二のモードを有し、
外部から動作モードを受け取ることが可能な動作モード通信受取手段と、
制御手段の動作モードを出力することが可能な動作モード通信出力手段と、を有しており
動作モード通信受取手段で受け取った動作モードが前記第二のモードの場合、前記負荷電流検出手段で検出した負荷電流値が規定電流以上の場合でも前記ＰＷＭ／ＰＦＭ切り替え手段がＰＦＭ制御にすることを特徴とする請求項１に記載の電源システム。
【請求項５】
第一と第二のモードを有し、撮影した画像を記録媒体に画像ファイルとして記録できるように待機している第一のモードの場合、
外部から動作モードを受け取ることが可能な動作モード通信受取手段と、
制御手段の動作モードを出力することが可能な動作モード通信出力手段と、を有しており
動作モード通信受取手段で受け取った動作モードが前記第一のモードの場合、
前記負荷電流検出手段で検出した負荷電流値が規定電流以下の場合でも前記ＰＷＭ／ＰＦＭ切り替え手段がＰＷＭ制御にすることを特徴とする請求項１に記載の電源システム。
【請求項６】
第一と第二のモードを有し、高解像度の動画を撮影する第二のモードの場合、
外部から動作モードを受け取ることが可能な動作モード通信受取手段と、
制御手段の動作モードを出力することが可能な動作モード通信出力手段と、を有しており、
動作モード通信受取手段で受け取った動作モードが前記第二のモードの場合、前記負荷電流検出手段で検出した負荷電流値が規定電流以上の場合でも前記ＰＷＭ／ＰＦＭ切り替え手段がＰＦＭ制御にすることを特徴とする請求項１に記載の電源システム。
【請求項７】
ＰＷＭ制御とＰＦＭ制御の切り替えを行うＰＷＭ／ＰＦＭ切り替え手段と、
電源の負荷電流を検出する負荷電流検出手段と、
前記負荷電流検出手段から検出される負荷電流を判断する第一の閾値と、前記第一の閾値より高く設定された第二の閾値と、電源の出力電圧を設定する出力電圧設定手段と、
通信によって外部から設定電圧を受け取ることが可能な設定電圧値通信受取手段と、
前記出力電圧設定手段からの設定電圧値及び前記設定電圧値通信受取手段で受け取った設定電圧値に応じて電圧を出力する電源出力手段と、
前記電源出力手段の出力電圧から供給される電圧により装置全体を制御する制御手段と
前記制御手段の処理速度性能を評価しつつ必要な電圧を決定する必要設定電圧決定手段と、
必要設定電圧決定手段で決定した電圧を通信によって出力する設定電圧値通信出力手段と、を有しており、
前記負荷電流検出手段が、負荷電流を検出し、検出した負荷電流値が第一の閾値以上の場合は、前記ＰＷＭ／ＰＦＭ切り替え手段にてＰＷＭ制御を行い、前記設定電圧値通信出力手段が出力する電圧値を、前記出力電圧値通信受取手段が受け取り、受け取った設定電圧値に応じて、前記電源出力手段より出力し、
検出した負荷電流値が第一の閾値以下の場合は、前記設定電圧値通信出力手段が出力する電圧値を、前記出力電圧値通信受取手段が受け取り、受け取った設定電圧値に変更せず、前記出力電圧設定手段の設定電圧値を設定し、前記ＰＷＭ／ＰＦＭ切り替え手段がＰＦＭ制御に切り替え、前記電源出力手段より出力し、
検出した負荷電流値が第二の閾値以上の場合は、前記設定電圧値通信出力手段が出力する電圧値を、前記出力電圧値通信受取手段が受け取り、受け取った設定電圧値に変更せず、前記出力電圧設定手段の設定電圧値を設定し、前記ＰＷＭ／ＰＦＭ切り替え手段がＰＦＭ制御に切り替え、前記電源出力手段より出力することを特徴とする電源システム。
【発明の詳細な説明】
【技術分野】
【０００１】
本発明は、撮像装置等の電気機器の制御部に使用される電源システムに関し、特にスイッチングレギュレータを使用した電源システムに関する。
【背景技術】
【０００２】
近年、携帯電話やデジタルカメラ等の電池を使用した機器においては、電池寿命を伸ばすという観点から、機器内で消費される電力の削減の重要度が増している。このため、電源回路、電源システムでは、高効率のインダクタを利用した降圧型スイッチングレギュレータが広く用いられる。一般的なスイッチングレギュレータは、周波数が一定でパルス幅によって電圧を制御するＰＷＭ制御（ｐｕｌｓｅ  ｗｉｄｔｈ  ｍｏｄｕｌａｔｉｏｎ）（以下ＰＷＭ制御と呼ぶ）が用いられる。
【０００３】
ＰＷＭ制御スイッチングレギュレータは、重負荷時、例えばデジタルカメラでは動画撮影時には高効率が維持される。しかし、スイッチングレギュレータ自体の消費電流が比較的大きいため、機器動作が静寂な場合、例えばデジタルカメラでは再生動作時や節電動作時には効率が低下する。
【０００４】
そこで、軽負荷時の効率を向上させるための技術としてＰＦＭ（Ｐｕｌｓｅ  Ｆｒｅｑｕｅｎｃｙ  Ｍｏｄｕｌａｔｉｏｎ）制御がある（以下ＰＦＭ制御と呼ぶ）。ＰＦＭ制御スイッチングレギュレータでは軽負荷時にスイッチング周波数を低下させることによって、軽負荷時に効率を維持する技術である。
【０００５】
さらに、負荷電流を検出し、重負荷時にはＰＷＭ制御で動作し、軽負荷時にはＰＦＭ制御で動作するＰＷＭ／ＰＦＭ切り替え制御をおこなう技術も実現されている。
【０００６】
しかし、ＰＦＭ制御、ＰＷＭ／ＰＦＭ切り替え制御ともに、軽負荷時のスイッチング周波数を低下させる。そのため、急峻な負荷変動に対してはスイッチング周波数を高速化させるための時間が必要なため、応答性が低下する。つまり、軽負荷から重負荷に急激に変動した場合の電圧降下が大きくなる。
【０００７】
一方、デジタルカメラ等のＣＰＵなどの制御部に関する電圧システムでは、ＡＶＳ（Ａｄａｐｔｉｖｅ  Ｖｏｌｔａｇｅ  Ｓｃａｌｉｎｇ：最適電圧制御）（以下ＡＶＳと呼ぶ）という技術がある。制御部の半導体のプロセスばらつきを吸収するための技術である。まず、電源部から制御部へ初期電圧を印加する。次に制御部内で必要な電圧を計算しそれを電源ＩＣ等の電源部へ通信手段を使って連絡する。電源部は、受け取った設定電圧を出力する。初期電圧は半導体のばらつきを想定し、想定される最も高い電圧が設定されている。平均的な半導体性能の制御部であれば、初期電圧よりも、制御部が計算した電圧の方が低い値となり消費電力削減となる。
【０００８】
ただし、制御部が必要な電圧を計算する場合に、電源部の設定電圧に対する電圧降下を加算して設定電圧を計算する。つまり、ＰＷＭ／ＰＦＭ切り替え制御、ＰＦＭ制御の場合、応答性が低く、電圧降下がおおきいため、加算する電圧値を大きくする必要がある。結果的にプロセスばらつきを吸収できず、省電力効果が薄くなる。そのため、従来、ＡＶＳ技術を実施している場合はＰＷＭ制御で駆動していた。
【０００９】
図５はＰＷＭ／ＰＦＭ切り換え駆動とＡＶＳの省電力効果を説明するための図である。
【００１０】
図５（ａ）は横軸が負荷電流に対する縦軸が効率の両対数グラフである。ただし、図５は一般的な直流負荷特性を想定した一例である。実際の電気機器では、電流値は過渡的に変動している。負荷電流軸は対数表示となっている。５０１太線がＰＷＭ／ＰＦＭ切り替え制御の効率のグラフである。５０２点線がＰＷＭ制御の効率のグラフである。５０３がＰＷＭ／ＰＦＭを切り替える電流値である。つまり、ＰＷＭ／ＰＦＭ切り替え制御において、５０３以上の電流時は、ＰＷＭ制御で駆動しており、５０３より少ない電流時はＰＦＭ制御で駆動している。５０３より少ない軽負荷時には、５０２のＰＷＭ制御に対して、５０１のＰＷＭ／ＰＦＭ切り替え制御が高効率を維持する。
【００１１】
図５（ｂ）はＰＷＭ／ＰＦＭ切り替え制御に関して横軸が負荷電流に対して、縦軸入力電力を示した両対数グラフである。５１０は、負荷電流に対する負荷電力のグラフである。負荷電流と比例して負荷電力も増加していく。５１１はＰＷＭ／ＰＦＭ切り替え制御した場合の入力電力である。５１２は、ＰＷＭ制御での入力電力のグラフである。５０３以下の軽負荷時に、５１１のＰＷＭ／ＰＦＭ切り替え制御の入力電力が、５１２のＰＷＭ制御の入力電流より少ない。これは、ＰＦＭ制御で駆動しているため、高効率によって損失が少ないからである。
【００１２】
図５（ｃ）はＡＶＳに関して横軸が負荷電流に対して、縦軸入力電力を示した両対数グラフである。５１３は、ＡＶＳを実施した場合の入力電力の一例である。５１２のＰＷＭ制御した場合の入力電力に対して、一律に電力削減されるため、全負荷電流範囲で入力電力が下側に平行移動したグラフとなる。移動量は、個々のプロセスによって異なる。
【００１３】
図５（ｄ）は、図５（ａ）、図５（ｂ）、図５（ｃ）を重ねたグラフである。ＰＷＭ／ＰＦＭ切り替え制御した場合の入力電力５１１と、ＡＶＳ実施した場合の入力電力５１３を比較する。図に示した電流範囲５２１の範囲で、ＡＶＳ実施した場合５１３よりも、ＰＷＭ／ＰＦＭ切り替え制御した場合５１１の方が、入力電力が少なくなっている。これは、軽負荷時にはＡＶＳによる省電力効果よりも、ＰＦＭ制御による省電力効果が高いためである。
【００１４】
特許文献１には、ＰＷＭ／ＰＦＭ切り替え制御時に設定電圧を切り替える技術が開示されている。
【先行技術文献】
【特許文献】
【００１５】
【特許文献１】特開２００５−３４１７８９号公報
【発明の概要】
【発明が解決しようとする課題】
【００１６】
しかしながら、上述の特許文献１に開示された従来技術では、応答性改善のため、ＰＷＭ制御とＰＦＭ制御時に基準電圧を変更する技術が公開されている。従来技術のブロック図を図６に示す。上記技術を用いて、ＰＷＭ制御時とＰＦＭ制御時で出力電圧を変更することは可能である。しかし、制御部で計算したＡＶＳ設定電圧値を通信によって受け取る手段がない。そのため、軽負荷時にＰＷＭ制御状態でＡＶＳを実施しており、ＰＦＭ制御によって軽負荷時の電力削減することは不可能であった。
【００１７】
そこで、本発明の目的は、ＡＶＳ実施している制御部における電源システムおよび撮像装置において、軽負荷時にＰＦＭ駆動しつつ、ＡＶＳを非実施、または設定電圧を高くすることによって入力電力を削減することを可能にした電源システムを提供することにある。
【課題を解決するための手段】
【００１８】
上記の目的を達成するために、本発明に係る電源システムは、
ＰＷＭ制御とＰＦＭ制御の切り替えを行うＰＷＭ／ＰＦＭ切り替え手段と、電源の負荷電流を検出する負荷電流検出手段と、電源の出力電圧を設定する出力電圧設定手段と、通信によって外部から設定電圧を受け取ることが可能な設定電圧値通信受取手段と、前記出力電圧設定手段からの設定電圧値及び前記設定電圧値通信受取手段で受け取った設定電圧値に応じて電圧を出力する電源出力手段と、前記電源出力手段の出力電圧から供給される電圧により装置全体を制御する制御手段と、前記制御手段の処理速度性能を評価しつつ必要な電圧を決定する必要設定電圧決定手段と、必要設定電圧決定手段で決定した電圧を通信によって出力する設定電圧値通信出力手段と、を有しており、前記負荷電流検出手段が、負荷電流を検出し、検出した負荷電流値が規定電流以上の場合は、前記ＰＷＭ／ＰＦＭ切り替え手段にてＰＷＭ制御を行い、前記設定電圧値通信出力手段が出力する電圧値を、前記出力電圧値通信受取手段が受け取り、受け取った設定電圧値に応じて、前記電源出力手段より出力し、検出した負荷電流値が規定電流以下の場合は、前記設定電圧値通信出力手段が出力する電圧値を、前記出力電圧値通信受取手段が受け取り、受け取った設定電圧値に変更せず、前記出力電圧設定手段の設定電圧値を設定し、前記ＰＷＭ／ＰＦＭ切り替え手段がＰＦＭ制御に切り替え、前記電源出力手段より出力することを特徴とする。
【発明の効果】
【００１９】
本発明によれば、ＡＶＳ実施している制御部における電源システムにおいて、軽負荷時にＰＦＭ駆動しつつ、ＡＶＳを非実施、または設定電圧を高くすることによって入力電力を削減することが可能な電力システムおよび撮像装置を提供することができる。
【図面の簡単な説明】
【００２０】
【図１】本発明の実施例１に関わる、撮影装置の電源システム構成を示すブロック図である。
【図２】本発明の実施例１に関わる、撮影装置の電源システム動作を示すフローチャートである。
【図３】本発明の実施例２に関わる、撮影装置の電源システム動作を示すフローチャートである。
【図４】ＡＶＳの動作を示すフローチャートである。
【図５】ＰＷＭ／ＰＦＭ切り換え駆動とＡＶＳの省電力効果を説明するための図である。
【図６】従来例の撮影装置の構成を示すブロック図である。
【発明を実施するための形態】
【００２１】
以下に、本発明の好ましい実施の形態を、添付の図面に基づいて詳細に説明する。
【００２２】
図１は本発明の実施形態にかかわる撮影装置の電源システム構成を示すブロック図である。
【００２３】
電源部１０１は、電源ＩＣやディスクリート部品で構成された電圧を出力する電源回路である。制御部１０２は、デジタルカメラ等の電気機器全体を制御する。デジタルカメラの場合図示しない、表示部、レンズ駆動部、撮像部、記憶媒体制御部、すべての機器を制御する。
【００２４】
ＰＷＭ／ＰＦＭ切り換え手段１１１は、ＰＷＭ制御にするかＰＦＭ制御にするかを決定する。
【００２５】
負荷電流検出手段１１２は、負荷電流を検出する。図１では、ハイサイドＦＥＴの電圧検出による電流検出方法を図示しているが、方法は問わない。前記ＰＷＭ／ＰＦＭ切り替え手段は、負荷電流検出手段１１２が検出した負荷電流を基にＰＷＭ制御、ＰＦＭ制御を決定する。
【００２６】
出力電圧設定手段１１３は、電源部１０１が出力する電圧を決定する。図１では、電源部１０１内の基準電圧を変更することで設定電圧を設定する方法を図示しているが、方法は問わない。帰還抵抗を変更する方法でも本発明の実施は可能である。
【００２７】
設定電圧値通信受取手段１１４は、制御部１０２の設定電圧値通信出力手段１２２から出力される電圧を受け取る。例えば、Ｉ２Ｃ（Ｉｎｔｅｒ−Ｉｎｔｅｇｒａｔｅｄ  Ｃｉｒｃｕｉｔ），ＳＰＩ（Ｓｅｒｉａｌ  Ｐｅｒｉｐｈｅｒａｌ  Ｉｎｔｅｒｆａｃｅ）などの通信手段を用いて、制御部１０２と電源部１０１は通信する。
【００２８】
動作モード通信受取手段１１５は、制御部１０２の動作モード通信出力手段１２３が出力する動作モードを受け取る。これも設定電圧値通信受取手段１１４と同様である。
【００２９】
誤差増幅手段１１６は、電源部１０１の出力した電圧を抵抗分割で帰還しその誤差を増幅する。誤差増幅手段１１６が出力する誤差によって、出力電圧を一定に維持する負帰還制御を実施している。
【００３０】
ハイサイド駆動手段１１７、ローサイド駆動手段１１８は、ハイサイドＦＥＴの駆動手段、ローサイドＦＥＴの駆動手段である。前記誤差増幅手段１１６の出力が、電源部１０１の出力電圧が低いことを示していた場合は、ハイサイドＦＥＴのオン時間を長くし、ローサイドＦＥＴのオン時間を短くすることによって出力電圧を高くする。
【００３１】
必要設定電圧決定手段１２１は、制御部１０２に必要な電圧を設定する。評価値取得手段１２４と目標値設定手段１２５を比較して設定電圧を設定している。
設定電圧値通信出力手段１２２は、前記必要設定電圧決定手段１２１が設定した電圧を電源部１０１に出力する。
【００３２】
動作モード通信出力手段１２３は、制御部１０２の動作モード、つまりデジタルカメラの動作モードを電源部１０１へ出力する。例えば、撮影待機、動画撮影、再生、節電のどの状態であるかを伝える。
【００３３】
評価値取得手段１２４は、制御部１０２の現在の処理能力を評価値として取得する。目標評価値設定手段１２５は、制御部１０２が性能を確保できる値を評価値として設定する。
【００３４】
マージン加算手段１２６は、電源部１０１が出力する電圧に対して、動作時の電圧降下を加味したマージンを評価値として加算する。
【００３５】
目標評価値設定手段１２５は、制御部１０２がメーカーから出荷時に記載された目標評価値に対して、前記マージンを換算した値を、目標評価値として設定する。
【００３６】
（実施例１）
以下、図１のブロック図と図２のフローチャートを参照して、本発明の第１の実施例による、撮影装置の電源システム構成について説明する。
【００３７】
電源部１０１から制御部１０２に電源が供給されるシステムにおいて、電源部１０１から電源が供給されて制御部１０２が起動する（ステップＳ２０１）。
【００３８】
電源部１０１は、まずＰＷＭ／ＰＦＭ切り替え手段をＰＷＭ制御に固定して電圧を出力する。この時出力する電圧は、設定電圧の中で制御部１０２の設定電圧の中で最も高い電圧を出力する（ステップＳ２０２）。
【００３９】
制御部１０２でＡＶＳを実施する。ＡＶＳについてはフローチャートを用いて後述する（ステップＳ２０３）。
【００４０】
電源部１０１の負荷電流検出手段１１２を用いて負荷電流を検出し、検出した負荷電流が規定電流以上かを確認する。本ブロックではハイサイドＦＥＴのドレイン電圧を検出することによって電流を検出する。ドレイン電圧が負電圧になることを検出して負荷電流が下がったことを確認し、電流が少なくなったことを確認する（ステップＳ２０４）。
【００４１】
検出した負荷電流が規定電流以上の場合は、ＰＷＭ制御のまま動作を維持し終了する。規定電流以下の場合は、ＡＶＳ設定電圧を解除する。電源部１０１の出力電圧設定手段１１３は、設定電圧値通信受取手段１１４から入力される電圧に設定電圧を変更せず、設定電圧を初期設定に設定する。つまり最も高い電圧に設定する。なぜなら、ＰＦＭ制御の場合、応答性が低く、急激な負荷変動に対して電圧降下が発生する可能性があるためである（ステップＳ２１１）。
【００４２】
次に、電源部１０１のＰＷＭ／ＰＦＭ切り替え手段を用いてＰＦＭ制御とする（ステップＳ２１２）。
【００４３】
次に、ＰＦＭ制御でＡＶＳを実施し終了する。尚、本ステップはしなくても省電力は実現可能である。なぜならＰＦＭ制御時は制御部１０２のマージン加算手段１２６で大きなマージンを加算する必要があり、ここで設定された電圧は初期設定電圧となる場合が高いからである（ステップＳ２１３）。
【００４４】
以上実施例１により、図５の電流範囲５２１において、入力電力がＰＷＭ／ＰＦＭ切り替え制御時の電力５１１となり、入力電力が低下し、図５（ｅ）の入力電力５２１を実現することができる。
【００４５】
（実施例２）
以下、図１のブロック図と図３のフローチャートを参照して、本発明の第２の実施例による、撮影装置の電源システム構成について説明する。
【００４６】
電源部１０１から制御部１０２に電源が供給されるシステムにおいて、電源部１０１から電源が供給されて制御部１０２が起動する（ステップＳ３０１）。
【００４７】
電源部１０１は、まずＰＷＭ／ＰＦＭ切り替え手段をＰＷＭ制御に固定して電圧を出力する。この時出力する電圧は、設定電圧の中で制御部１０２の設定電圧の中で最も高い電圧を出力する（ステップＳ３０２）。
【００４８】
制御部１０２でＡＶＳを実施する。ＡＶＳについてはフローチャートを用いて後述する（ステップＳ３０３）。
【００４９】
電源部１０１の負荷電流検出手段１１２を用いて負荷電流を検出する（ステップＳ３０４）。
【００５０】
検出した負荷電流が規定電流以上の場合は、ＰＷＭ制御のまま動作を維持し（ステップＳ３０５）へ移行する。
【００５１】
制御部１０２の動作モード通信出力手段１２３から、電源部１０１の動作モード通信受取手段１１５へ動作モードが通信される。前記受け取ったモードが特定のモード、例えば標準動画撮影モード、もしくはフルＨＤ動画撮影モードの場合、（ステップＳ３１２）へ移行してＰＦＭ制御となる。本実施例のフローチャートでは、動作モードを判別する構成で記載したが、電流を検出することでも実施可能である。例えば、前記電流検出手段により電流を測定し、前記規定電流より高い第２のしきい値を設定し、第２のしきい値以上であった場合、つまり、さらに電力が多い場合に、（ステップＳ３１２）へ移行しＰＦＭ制御を実施した場合でも同様の効果が得られる。
【００５２】
特定のモード以外の場合は、ＰＷＭ制御のまま動作を維持し終了する（ステップＳ３０５）。これは、フルＨＤ動画撮影モードなど特定のモード時にＰＷＭ制御時の電源部１０１のスイッチングノイズが図示しない撮像部に影響し画像にノイズが発生する場合が考えられる。その場合、規定電流以上の電流の場合もＰＦＭ制御としスイッチング周波数を変更し、画像のノイズを低減させる目的である。
【００５３】
（ステップＳ３０４）で電流が規定電流より少ない場合は（ステップＳ３１１）へ移行する。
【００５４】
制御部１０２の動作モード通信出力手段１２３から、電源部１０１の動作モード通信受取手段１１５へ動作モードが通信される。前記受け取ったモードが撮影待機モードの場合は、（ステップＳ３０５）へ移行する。これは、撮影待機状態の場合は、軽負荷状態であっても、急遽、使用者によって撮影スイッチが押下され、動画撮影ボタンが押下することによって、重負荷電流が流れる可能性があるためである。軽負荷であってもＰＷＭ制御を維持することによって電圧降下を抑え、電圧品位を維持する目的である（ステップＳ３１１）。
【００５５】
撮影待機状態でない場合は、ＡＶＳ設定電圧を解除する。電源部１０１の出力電圧設定手段１１３は、設定電圧値通信受取手段１１４から入力される電圧を無視し、設定電圧を初期設定に設定する。つまり最も高い電圧に設定する。例えば、再生モード、節電モード時にはＰＦＭ制御へ移行することによって高効率を維持する（ステップＳ３１２）。
【００５６】
同時に、電源部１０１のＰＷＭ／ＰＦＭ切り替え手段を用いてＰＦＭ制御とする（ステップＳ３１３）。
【００５７】
次に、ＰＦＭ制御でＡＶＳを実施し終了する。尚、本ステップはしなくても省電力は実現可能である。なぜならＰＦＭ制御時は制御部１０２のマージン加算手段１２６で大きなマージンを加算する必要があり、ここで設定された電圧は初期設定電圧となる場合が高いからである（ステップＳ３１４）。
【００５８】
図４に示すフローチャートを用いて、ＡＶＳについて説明する。
【００５９】
電源部１０１から電圧が制御部１０２へ印加されるシステムにおいて電源が起動される。電源部１０１から制御部１０２に電圧が印加される（ステップＳ４０１）。
【００６０】
制御部１０１は評価値取得手段１２４を用いて現在の自己の性能を示す評価値を取得する（ステップＳ４０２）。
【００６１】
制御部１０２は、ＲＯＭ，ヒューズ等の記憶手段に半導体出荷時に記憶されている目標評価値を取得する（ステップＳ４０３）。
【００６２】
マージン加算手段１２６は、取得した前記目標評価値に対してマージンを加算する。加算する値は、電源部１０１と制御部１０２の配線抵抗の電圧降下分や、負荷変動による電圧降下を加味した値となる（ステップＳ４０４）。
【００６３】
必要設定電圧決定手段１２１は、前記評価値と、前記マージンが加算された目標評価値とを比較して設定電圧を決定する。例えば、評価値とマージン加算された目標評価値が近似している場合は、設定電圧は現在印加電圧を維持する。例えば評価値がマージン加算された目標評価値より高い場合は、その比率によって電圧降下分を計算し現在印加電圧より低い電圧を設定電圧とする（ステップＳ４０５）。
【００６４】
設定電圧値通信出力手段１２２は、Ｉ２Ｃ（Ｉｎｔｅｒ−Ｉｎｔｅｇｒａｔｅｄ  Ｃｉｒｃｕｉｔ），ＳＰＩ（Ｓｅｒｉａｌ  Ｐｅｒｉｐｈｅｒａｌ  Ｉｎｔｅｒｆａｃｅ）などの通信手段を用いて決定した設定電圧を制御部１０１へ出力する。もちろん、通信手段は記載以外の手段を用いても問題ない（ステップＳ４０６）。
【００６５】
前記設定電圧を受け取った電源部１０１の設定電圧値通信受取手段１１４が、電源部１０１の出力電圧設定手段１１３の設定電圧を受けとった設定電圧にする（ステップＳ４０７）。
【００６６】
以上、本発明の好ましい実施形態について説明したが、本発明はこれらの実施形態に限定されず、その要旨の範囲内で種々の変形及び変更が可能である。
【符号の説明】
【００６７】
１０１  電源部、１０２  制御部、１１１  ＰＷＭ／ＰＦＭ切り替え部、
１１２  負荷電流検出手段、１１３  出力電圧設定手段、
１１４  設定電圧値通信受取手段、１１５  動作モード通信受取手段、
１２１  必要設定電圧決定手段、１２２  設定電圧値通信出力手段、
１２３  動作モード通信出力手段
【図１】
2017121098.tif 000003
【図２】
2017121098.tif 000004
【図３】
2017121098.tif 000005
【図４】
2017121098.tif 000006
【図５】
2017121098.tif 000007
【図６】
2017121098.tif 000008